(57)【要約】【目的】  高齢者などの患者がお薬カレンダーから切り離した収容部から内部の薬剤を取り出す作業を容易化できる、画像監査を適正にできる、低コスト化できるなどの複数の利点を有するお薬カレンダー並びにその作製用及び保管用支持具を提供する。【構成】  複数回に渡り服用する薬剤をまとめて保管するお薬カレンダーであって、開口部とその外周部を有し１回に服用する薬剤をそれぞれ収容する複数の収容部が互いに連続するように配置されて成るカレンダー本体と、前記カレンダー本体中の各収容部の開口部を塞ぐために前記各収容部の外周部にそれぞれ粘着又は固定される蓋シールとを含むお薬カレンダー並びにその作製用及び保管用支持具である。【選択図】    図１
2019000593.tif 000002
【特許請求の範囲】
【請求項１】
複数回に渡り服用する薬剤をまとめて保管するお薬カレンダーであって、
開口部とその外周部を有し１回に服用する薬剤をそれぞれ収容する複数の収容部が、他の収容部と分離するための分離用切れ目を介して互いに連続するように配置されて成るカレンダー本体と、
前記カレンダー本体中の各収容部の開口部を塞ぐために前記各収容部の外周部にそれぞれ粘着又は固定される蓋シールと、
を備え、前記各蓋シールは、前記蓋シールの前記収容部の外周部と対向する部分中の前記収容部の開口部と所定距離だけ離れた部分に配置される粘着剤が存在しない掴み用端部と、前記掴み用端部の近傍位置から前記収容部の開口部の近傍と対向する位置まで延びる開封用切れ目とを有することを特徴とするお薬カレンダー。
【請求項２】
前記蓋シールは、前記切れ目が形成された方向と略平行な方向に切れ易く、それ以外の方向には切れ難い樹脂シートを含むものである、請求項１に記載のお薬カレンダー。
【請求項３】
複数回に渡り服用する薬剤をまとめて保管するお薬カレンダーであって、
開口部とその外周部を有し１回に服用する薬剤をそれぞれ収容する複数の収容部が互いに連続するように配置されて成るカレンダー本体と、
前記カレンダー本体中の各収容部の開口部を塞ぐために前記各収容部の外周部にそれぞれ粘着又は固定される蓋シールと、
を備え、前記各収容部の少なくとも側面部にシボ加工が施されていることを特徴とするお薬カレンダー。
【請求項４】
複数回に渡り服用する薬剤をまとめて保管するお薬カレンダーであって、
開口部とその外周部を有し１回に服用する薬剤をそれぞれ収容する複数の収容部が、他の収容部と分離するための分離用切れ目を介して互いに連続するように配置されて成るカレンダー本体と、
前記カレンダー本体中の各収容部の開口部を塞ぐために前記各収容部の外周部にそれぞれ粘着又は固定される蓋シールと、
を備え、前記蓋シールには、前記蓋シールの前記収容部の外周部と対向する部分中の前記収容部の開口部と所定距離だけ離れた部分に、粘着剤が存在しない掴み用端部が形成されており、前記各収容部の開口部の縁部は、前記各収容部の外周部中の前記掴み用端部と対向する部分が前記外周部中の他の部分よりも幅広となるような形状に形成されている、お薬カレンダー。
【請求項５】
複数回に渡り服用する薬剤をまとめて保管するお薬カレンダーであって、
開口部とその外周部を有し１回に服用する薬剤をそれぞれ収容する複数の収容部が、他の収容部と分離するための分離用切れ目を介して互いに連続するように配置されて成るカレンダー本体と、
前記カレンダー本体中の各収容部の開口部を塞ぐために前記各収容部の外周部にそれぞれ粘着又は固定される蓋シールと、
を備え、前記各カレンダー本体には、前記各収容部の外周部中の前記各開口部と所定距離だけ離れた部分に、それぞれ切り欠きが形成されていることを特徴とするお薬カレンダー。
【請求項６】
複数回に渡り服用する薬剤をまとめて保管するお薬カレンダーであって、
開口部とその外周部を有し１回に服用する薬剤をそれぞれ収容する複数の収容部が、他の収容部と分離するための分離用切れ目を介して互いに連続するように配置されて成るカレンダー本体と、
前記カレンダー本体中の各収容部の開口部を塞ぐために前記各収容部の外周部にそれぞれ粘着又は固定される蓋シールと、
を備え、前記各蓋シールには、前記各収容部の外周部中の前記各開口部と所定距離だけ離れた部分と対向する部分に、それぞれ切り欠きが形成されていることを特徴とするお薬カレンダー。
【請求項７】
複数回に渡り服用する薬剤をまとめて保管するお薬カレンダーであって、
開口部とその外周部を有し１回に服用する薬剤をそれぞれ収容する複数の収容部が、他の収容部と分離するための分離用切れ目を介して互いに連続するように配置されて成るカレンダー本体と、
前記カレンダー本体中の各収容部の開口部を塞ぐために前記各収容部の外周部にそれぞれ粘着又は固定される蓋シールと、
を備え、前記各蓋シールには、前記各収容部の外周部中の前記各開口部と所定距離だけ離れた部分と対向する部分に、それぞれ、粘着剤が存在しない部分が形成されていることを特徴とするお薬カレンダー。
【請求項８】
複数回に渡り服用する薬剤をまとめて保管するお薬カレンダーであって、
開口部とその外周部を有し１回に服用する薬剤をそれぞれ収容する複数の収容部が、他の収容部と分離するための分離用切れ目を介して互いに連続するように配置されて成るカレンダー本体と、
前記カレンダー本体中の各収容部の開口部を塞ぐために前記各収容部の外周部にそれぞれ粘着又は固定される蓋シールと、
前記カレンダー本体の前記各収容部の開口部側と反対側の面に固定される薬剤貼付用シートであって、前記各収容部毎に、前記各収容部内に入れられない薬剤の収容体を粘着又は貼付できる粘着部が形成されている薬剤貼付用シートと、
を備えたことを特徴とするお薬カレンダー。
【請求項９】
前記各蓋シールは、他の複数の蓋シールと分離するための分離用切れ目を介して互いに連続するように配置されて成る蓋シールシートに備えられている請求項１から８までのいずれかに記載のお薬カレンダー。
【請求項１０】
前記各収容部内に、各一回服用分の複数種類の薬剤と共に袋等の収容体に入れられた食用のゼリーが収納されている請求項１から９までのいずれかに記載のお薬カレンダー。
【請求項１１】
開口部とその外周部を有し１回に服用する薬剤をそれぞれ収容する複数の収容部が互いに連続して配置されるように薄く柔らかい素材により形成されたカレンダー本体を含み、前記各収容部内に各開口部を介して１回に服用する薬剤が収容された後には前記収容部の外周部にそれぞれ粘着又は固定される蓋シールにより前記開口部が封止されるお薬カレンダーを作製するときに使用されるお薬カレンダーの作製用支持具であって、前記カレンダー本体と略同一又は類似形状の硬い支持プレートから成り、１回に服用する薬剤が前記各収容部内に収容されるとき、前記カレンダー本体を下方から支持するように、前記カレンダー本体が載置された状態で使用される、お薬カレンダーの作製用支持具。
【請求項１２】
前記支持具を構成する支持プレートは、透明素材により形成され且つシボ加工されている、請求項１１に記載のお薬カレンダーの作製用支持具。
【請求項１３】
複数回に渡り服用する薬剤をまとめて保管するお薬カレンダーの保管用支持具であって、
開口部とその外周部を有し１回に服用する薬剤をそれぞれ収容する複数の収容部が連続して配置されるように形成されて成るカレンダー本体、及び前記各収容部毎の服薬の時間帯を表示したシートを収納する枠体と、
前記枠体に外側から取り付けられる透明シートであって前記カレンダー本体及び各服薬の時間帯を表示したシートが前記枠体から外れないようにする透明シートと、
から成るお薬カレンダーの保管用支持具。
【請求項１４】
前記枠体内には、内部を複数に区切るための複数の棒状体が備えられている請求項１３記載のお薬カレンダーの保管用支持具。
【発明の詳細な説明】
【技術分野】
【０００１】
本発明は患者が毎日の朝昼夕（又は朝昼夕夜）の服薬を各一回服用分毎に容易に管理することができるお薬カレンダー並びにその作製用及び保管用支持具に関する。
【背景技術】
【０００２】
従来より、患者が、複数種類の薬剤について、複数回に渡る各一回服用分ずつの服薬を規則正しく行うことができるように、各一回服用分の薬剤をそれぞれ収容する複数の収容部をカレンダーのように配置したお薬カレンダーが提案等されている（特許文献１）。このお薬カレンダーは、例えば、各一回服用分の薬剤（裸状の錠剤が包装され一包化された一回服用分でもよいし、一回服用分に対応するだけの分量に切断、分離された複数種類のＰＴＰシートに入れられた状態の薬剤などから成る一回服用分でもよい）を収容可能な各区画（収容部）が縦又は横方向に少なくとも１週間分の７個ずつ及び横又は縦方向に少なくとも朝、昼及び夕の３個（又は朝、昼、夕及び夜の４個）ずつ並べられて成るものである。
【０００３】
このようなお薬カレンダーは、壁などに吊り下げられた状態又はテーブルに置かれた状態などで使用されることが予定されている。患者は、各服薬の時間帯になると、このお薬カレンダーから、当該日時（曜日）及び時間帯（朝、昼及び夕など）に対応する収容部をお薬カレンダーから切り離し、その収容部内に収容された薬剤を取り出して服用する。
【先行技術文献】
【特許文献】
【０００４】
【特許文献１】特開２００２−２８２３３７号公報
【発明の概要】
【発明が解決しようとする課題】
【０００５】
しかしながら、（ａ）従来のお薬カレンダーにおいては、特に高齢者などにとって、前記お薬カレンダーから切り離した収容部から内部の薬剤を取り出す作業が難しいという問題点があった。また（ｂ）従来のお薬カレンダーにおいては、前記お薬カレンダー中の各収容部内に配置した各一回服用分の薬剤が適正かどうかの監査を効率的に行うことができないという問題点があった。また（ｃ）従来のお薬カレンダーにおいては各一回服用分に含まれるにもかかわらず前記お薬カレンダー中の各収容部内に収容できない薬剤が存在する場合にその取り扱いが難しいという問題点があった。また（ｄ）従来のお薬カレンダーにおいては、各一回服用分の複数種類の薬剤を患者が一度に飲むことが難しいという問題があった。また（ｅ）従来のお薬カレンダーにおいては特にお薬カレンダーを薄く柔らかい素材で形成した場合（お薬カレンダーの持ち運びを容易にするためには、折り曲げたり丸めたりすることができるように、薄く柔らかい素材で形成することが望ましい）に、各収容部内に各一回服用分の薬剤を収容する作業（手撒き作業）が煩雑で非効率になってしまうという問題点があった。さらに（ｆ）従来のお薬カレンダーにおいては、特に各服薬の時間帯等を表示した蓋シールを各収容部に貼り付ける必要があるために製造コストが高くなってしまうという問題点があった。
【０００６】
本発明はこのような従来技術の問題点に着目して為されたものであって、（ａ）高齢者などにとってもお薬カレンダーから切り離した収容部から内部の薬剤を取り出す作業を容易化することができるお薬カレンダー、（ｂ）お薬カレンダー中の各収容部内に配置した各一回服用分の薬剤が適正かどうかの画像監査を効率的に行うことができるお薬カレンダー、（ｃ）各一回服用分に含まれるにもかかわらず前記お薬カレンダー中の各収容部内に収容できない薬剤の取り扱いを容易にすることができるお薬カレンダー、（ｄ）各一回服用分の複数種類の薬剤を患者が飲み易くすることができるお薬カレンダー、（ｅ）お薬カレンダーを折り曲げたり丸めたりすることができるように薄く柔らかい素材で形成した場合でも各収容部内に各一回服用分の薬剤を収容する作業（手撒き作業）を効率的に行うことができるお薬カレンダーの作製用支持具、又は（ｆ）従来よりも製造コストを大幅に低減させることができるお薬カレンダーの保管用支持具を提供することを目的とする。
【課題を解決するための手段】
【０００７】
以上のような課題を解決するための本発明によるお薬カレンダーは、複数回に渡り服用する薬剤をまとめて保管するお薬カレンダーであって、開口部とその外周部を有し１回に服用する薬剤をそれぞれ収容する複数の収容部が他の収容部と分離するための分離用切れ目を介して互いに連続するように配置されて成るカレンダー本体と、前記カレンダー本体中の各収容部の開口部を塞ぐために前記各収容部の外周部にそれぞれ粘着又は固定される蓋シールとを備え、前記各蓋シールは、前記蓋シールの前記収容部の外周部と対向する部分中の前記収容部の開口部と所定距離だけ離れた部分に配置される粘着剤が存在しない掴み用端部と、前記掴み用端部の近傍位置から前記収容部の開口部の近傍と対向する位置まで延びる開封用切れ目とを有するものである。
【０００８】
また本発明のお薬カレンダーにおいては、前記蓋シールは、前記切れ目が形成された方向と略平行な方向に切れ易く、それ以外の方向には切れ難い樹脂シートを含むものであってもよい。
【０００９】
また、本発明によるお薬カレンダーは、複数回に渡り服用する薬剤をまとめて保管するお薬カレンダーであって、開口部とその外周部を有し１回に服用する薬剤をそれぞれ収容する複数の収容部が互いに連続するように配置されて成るカレンダー本体と、前記カレンダー本体中の各収容部の開口部を塞ぐために前記各収容部の外周部にそれぞれ粘着又は固定される蓋シールとを備え、前記各収容部の少なくとも側面部にはシボ加工が施されているものである。
【００１０】
また、本発明によるお薬カレンダーは、複数回に渡り服用する薬剤をまとめて保管するお薬カレンダーであって、開口部とその外周部を有し１回に服用する薬剤をそれぞれ収容する複数の収容部が、他の収容部と分離するための分離用切れ目を介して互いに連続するように配置されて成るカレンダー本体と、前記カレンダー本体中の各収容部の開口部を塞ぐために前記各収容部の外周部にそれぞれ粘着又は固定される蓋シールとを備え、前記蓋シールには、前記蓋シールの前記収容部の外周部と対向する部分中の前記収容部の開口部と所定距離だけ離れた部分に、粘着剤が存在しない掴み用端部が形成されており、前記各収容部の開口部の縁部は、前記各収容部の外周部中の前記掴み用端部と対向する部分が前記外周部中の他の部分よりも幅広となるような形状に形成されているものである。
【００１１】
また、本発明によるお薬カレンダーは、複数回に渡り服用する薬剤をまとめて保管するお薬カレンダーであって、開口部とその外周部を有し１回に服用する薬剤をそれぞれ収容する複数の収容部が、他の収容部と分離するための分離用切れ目を介して互いに連続するように配置されて成るカレンダー本体と、前記カレンダー本体中の各収容部の開口部を塞ぐために前記各収容部の外周部にそれぞれ粘着又は固定される蓋シールとを備え、前記各カレンダー本体には、前記各収容部の外周部中の前記各開口部と所定距離だけ離れた部分に、それぞれ切り欠きが形成されているものである。
【００１２】
また、本発明によるお薬カレンダーは、複数回に渡り服用する薬剤をまとめて保管するお薬カレンダーであって、開口部とその外周部を有し１回に服用する薬剤をそれぞれ収容する複数の収容部が、他の収容部と分離するための分離用切れ目を介して互いに連続するように配置されて成るカレンダー本体と、前記カレンダー本体中の各収容部の開口部を塞ぐために前記各収容部の外周部にそれぞれ粘着又は固定される蓋シールとを備え、前記各蓋シールには、前記各収容部の外周部中の前記各開口部と所定距離だけ離れた部分と対向する部分に、それぞれ切り欠きが形成されているものである。
【００１３】
また、本発明によるお薬カレンダーは、複数回に渡り服用する薬剤をまとめて保管するお薬カレンダーであって、開口部とその外周部を有し１回に服用する薬剤をそれぞれ収容する複数の収容部が、他の収容部と分離するための分離用切れ目を介して互いに連続するように配置されて成るカレンダー本体と、前記カレンダー本体中の各収容部の開口部を塞ぐために前記各収容部の外周部にそれぞれ粘着又は固定される蓋シールとを備え、前記各蓋シールには、前記各収容部の外周部中の前記各開口部と所定距離だけ離れた部分と対向する部分に、それぞれ、粘着剤が存在しない部分が形成されているものである。
【００１４】
また、本発明によるお薬カレンダーは、複数回に渡り服用する薬剤をまとめて保管するお薬カレンダーであって、開口部とその外周部を有し１回に服用する薬剤をそれぞれ収容する複数の収容部が、他の収容部と分離するための分離用切れ目を介して互いに連続するように配置されて成るカレンダー本体と、前記カレンダー本体中の各収容部の開口部を塞ぐために前記各収容部の外周部にそれぞれ粘着又は固定される蓋シールと、前記カレンダー本体の前記各収容部の開口部側と反対側の面に固定される薬剤貼付用シートであって、前記各収容部毎に、前記各収容部内に入れられない薬剤の収容体を粘着又は貼付できる粘着部が形成されている薬剤貼付用シートとを備えたものである。
【００１５】
また、本発明によるお薬カレンダーにおいては、前記各蓋シールは、他の複数の蓋シールと分離するための分離用切れ目を介して互いに連続するように配置されて成る蓋シールシートに備えられていてもよい。
【００１６】
また、本発明によるお薬カレンダーにおいては、前記各収容部内に、前記一回服用分の複数種類の薬剤と共に、袋等の収容体に入れられた食用のゼリーが収納されていてもよい。
【００１７】
また、本発明によるお薬カレンダーの作製用支持具は、開口部とその外周部を有し１回に服用する薬剤をそれぞれ収容する複数の収容部が互いに連続して配置されるように薄く柔らかい素材により形成されたカレンダー本体を含み、前記各収容部内に各開口部を介して１回に服用する薬剤が収容された後には前記収容部の外周部にそれぞれ粘着又は固定される蓋シールにより前記開口部が封止されるお薬カレンダーを作製するときに使用されるお薬カレンダーの作製用支持具であって、前記カレンダー本体と略同一又は類似形状の硬い支持プレートから成り、１回に服用する薬剤が前記各収容部内に収容されるとき、前記カレンダー本体を下方から支持するように、前記カレンダー本体が載置された状態で使用されるものである。
【００１８】
また、本発明においては、前記お薬カレンダーの作製用支持具を構成する支持プレートは、透明素材により形成され且つシボ加工されていてもよい。
【００１９】
また、本発明によるお薬カレンダーの保管用支持具は、複数回に渡り服用する薬剤をまとめて保管するお薬カレンダーの保管用支持具であって、開口部とその外周部を有し１回に服用する薬剤をそれぞれ収容する複数の収容部が連続して配置されるように形成されて成るカレンダー本体、及び前記各収容部毎の服薬の時間帯を表示したシートを収納する枠体と、前記枠体に外側から取り付けられる透明シートであって前記カレンダー本体及び各服薬の時間帯を表示したシートが前記枠体から外れないようにする透明シートとから成るものである。
【００２０】
さらに、本発明によるお薬カレンダーの保管用支持具においては、前記枠体内に、内部を複数に区切るための複数の棒状体が備えられていてもよい。
【発明の効果】
【００２１】
本発明において、前記蓋シールに、前記蓋シール中の前記収容部の外周部（前記収容部中の開口部を囲む鍔状部分）と対向するが前記収容部の開口部と所定距離だけ離れた部分に、粘着剤が存在しない掴み用端部と、この掴み用端部の近傍の位置に形成された開封用切れ目であって前記収容部の開口部に向かう開封用切れ目とを形成するようにしたときは、前記蓋シールを前記収容部から剥がし易くなり、また、前記開封用切れ目に沿って蓋シールの中間部分を切断したとき前記収容部の開口部の一部（例えば開口部全体の３分の１から３分の２程度の部分又は開口部の約半分）が前記蓋シールの一部に覆われたままの状態となるので、前記蓋シールを剥がす過程で前記収容部から外に薬剤が飛び出してこぼれ落ちてしまうなどの不都合を防止することができる。
【００２２】
また、特に、前記お薬カレンダーにおいて、前記蓋シールを、前記開封用切れ目が延びる方向と略平行な方向に切れ易くそれ以外の方向には切れ難い樹脂シートを含む（例えば、そのような性質の樹脂シートと各服薬の時間帯などを印刷した紙シートと粘着用シートとを積層する）ようにしたときは、前記開封用切れ目の方向に沿って蓋シールの中間部分を切断する動作を、より安定的に行えるようになる。
【００２３】
また、本発明において、前記各収容部の少なくとも側面部にシボ加工を施すようにしたときは、前記カレンダー本体の各収容部への薬剤の手撒き作業（調剤作業）の後に行われる調剤監査の補助としての画像監査を行う際に、例えばスキャナ又はカメラ等により、前記各収容部の下方から光を当てて前記各収容部内に収容された各一回服用分の薬剤の映像を取得するとき、前記下方からの光が前記側面部で前記各収容部内の薬剤の方向に反射することが前記シボ加工により抑えられるので、前記各収容部内の薬剤について鮮明な画像を取得することができ、それに基づいてより適正な画像監査を行うことができるようになる。
【００２４】
また、本発明において、前記各収容部の開口部の縁部の形状を、前記各収容部の外周部（開口部を囲む鍔状部分）中の一部が他の部分よりも幅広となるような平面形状（例えば平面５角形状など）に形成するようにしたときは、前記外周部中に、前記蓋シールを剥がすときの掴み用端部（剥がすときの取っ掛かりとなる端部）を形成するための領域（粘着剤を付けない領域）を、十分に確保できるようになる。
【００２５】
また、本発明において、前記カレンダー本体の各収容部の外周部中の一部（前記各開口部と所定距離だけ離れた部分）に、それぞれ、切り欠きを形成するようにしたときは、前記蓋シール中の前記切り欠き(前記各収容部の外周部の一部）と対向する部分が、前記各収容部の外周部に固定されていない部分となるので、当該部分を、患者が前記蓋シールを前記各収容部から引き剥がすときの掴み部（取っ掛かり）とすることができる。
【００２６】
また、本発明において、前記蓋シール中の前記各収容部の外周部中の前記各開口部と所定距離だけ離れた部分と対向する部分に、それぞれ、切り欠きを形成するようにしたときは、前記カレンダー本体中の前記切り欠き(前記蓋シール中の一部)と対向する部分が、前記蓋シールが固定されていない部分となるので、当該部分を、患者が前記蓋シールを前記収容部から引き剥がすときの取っ掛かりとなる部分とすることができる。
【００２７】
また、本発明において、前記蓋シール中の前記各収容部の外周部中の前記各開口部と所定距離だけ離れた部分と対向する部分に、それぞれ、粘着剤が存在しない部分を形成するようにしたときは、前記蓋シール中の前記各収容部の外周部と対向する部分の一部が、前記カレンダー本体中の前記各収容部の外周部の一部に固定されないことになるので、当該一部を、患者が前記蓋シールを前記収容部から引き剥がすときの掴み部（取っ掛かり）とすることができる。
【００２８】
また、本発明において、前記カレンダー本体の前記蓋シールが配置された開口部側と反対側の面（前記各収容部の裏面）に固定される薬剤貼付用シートであって、前記各収容部毎に、前記各収容部内に入れられない薬剤の収容体を粘着又は貼付できる粘着部が形成されている薬剤貼付用シートを備えるようにしたときは、前記カレンダー本体の前記各収容部の裏面に、前記各収容部内に入れられない薬剤の収容体（例えば散薬を収納した比較的大きな袋）などを貼り付けることができるので、当該患者の各一回服用分に含まれるのに前記お薬カレンダー中の各収容部内に収容できない薬剤の取り扱いを容易にすることができる。
【００２９】
また、本発明において、前記各収容部内に、前記一回服用分の複数種類の薬剤と共に袋等の収容体に入れられた食用のゼリーを収納するようにしたときは、患者は、各一回服用分の複数種類の薬剤を前記ゼリーと一緒に飲み込むことができるので、各一回服用分の複数種類の薬剤を容易に飲むことができる。
【００３０】
また、本発明に係るお薬カレンダーの作製用支持具において、カレンダー本体を薄く柔らかい素材により形成し、このカレンダー本体中の各収容部内に各一回服用分の薬剤を収容するとき（例えば手撒き作業時）、前記カレンダー本体をこれと略同一又は類似形状の硬い支持プレート上に配置された状態で使用するようにしたときは、前記柔らかいカレンダー本体が前記硬い支持プレートにより下方から支持されるので、前記手撒き作業などを効率的に行うことができる。
【００３１】
また、本発明に係るお薬カレンダーの作製用支持具において、前記支持プレートを、前記カレンダー本体と共に、透明素材により形成するようにしたときは、前記カレンダー本体を前記支持プレートで支持した状態のまま、調剤監査の補助としての画像監査を行うために前記各収容部内の薬剤の映像を取得する際に、前記支持プレートの下方からスキャンすることによっても、前記各収容部内の薬剤の映像を取得できるようになる。
【００３２】
また、本発明に係るお薬カレンダーの作製用支持具において、前記カレンダー本体と前記支持プレートを透明素材により形成し且つ前記支持プレートにシボ加工を施すようにしたときは、前記カレンダー本体を前記支持プレートで支持した状態のまま、調剤監査の補助としての画像監査を行うために、前記支持プレートの下方に設置したスキャナ又はカメラ等により前記各収容部内の薬剤の映像を取得するとき、前記スキャナ等からの照射光が前記支持プレートを介して前記各収容部内の薬剤の方向に反射することが前記シボ加工により防止されるので、前記各収容部内の薬剤の鮮明な画像を取得することができ、そのようにして取得した鮮明な画像に基づいて適正な画像監査を行うことができるようになる。
【００３３】
また、本発明に係るお薬カレンダーの保管用支持具において、お薬カレンダーを、前記カレンダー本体及び各服薬の時間帯等を表示したシートを枠体内に収容し透明シートで前記枠体から外れないように配置、構成したときは、各蓋シールを貼り付ける作業、又は各蓋シールを連続的に配置した蓋シールシートの製作などが不要になるので、お薬カレンダー全体の製造コストを大幅に低減することができる。
【００３４】
さらに、本発明に係るお薬カレンダーの保管用支持具において、前記枠体の外周の内部に複数の棒状体を配置して、前記枠体の内部を複数の空間に区画するようにしたときは、前記カレンダー本体を前記枠体内に配置するとき、前記カレンダー本体中の各収容部が前記区画された各空間内に入り込むようにすることができるので、前記カレンダー本体をより安定的に配置・支持できるようになる。
【図面の簡単な説明】
【００３５】
【図１】本発明の実施形態１に係るお薬カレンダー及びその作製用支持具を説明するための斜視図である。
【図２】本実施形態１におけるカレンダー本体を示す斜視図である。
【図３】（ａ）は本実施形態１におけるカレンダー本体を示す平面図、（ｂ）はその正面図、（ｃ）はその側面図である。
【図４】本実施形態１における蓋シールシートを示す斜視図である。
【図５】（ａ）は蓋シールシートがカレンダー本体に貼り付けられた状態における蓋シールシートの一部を表面側から見たときの図、（ｂ）は蓋シールシートがカレンダー本体に貼り付けられた状態におけるカレンダー本体の一部を裏面側（収容部の凹部の底部側）から見たときの図である。
【図６】（ａ）は他の収容部から分離した後の収容部を表側（蓋シール側）から示す斜視図、（ｂ）はそれを裏側（凹部の底部側）から示す斜視図である。
【図７】（ａ）は本実施形態１のお薬カレンダーを患者が各服薬の時間帯毎に各収容部を一つずつ分離して服用している途中の状態を表側（蓋シール側）から示す斜視図、（ｂ）はそれを裏側（各収容部の凹部の底部側）から示す斜視図である。
【図８】本実施形態１のカレンダー本体から１つの収容部を分離し、その中に収容された一回服用分の薬剤を取り出す動作の一例を説明するための図である。
【図９】本実施形態１のカレンダー本体から１つの収容部を分離し、その中に収容された一回服用分の薬剤を取り出す動作の一例を説明するための図である。
【図１０】本実施形態１のお薬カレンダーを使用した薬剤の手撒き作業後の調剤監査（画像による調剤監査支援を含む）を説明するための図である。
【図１１】本発明の実施形態２に係るお薬カレンダーを説明するための図である。
【図１２】本発明の実施形態３に係るお薬カレンダーを説明するための図である。
【図１３】本発明の実施形態４に係るお薬カレンダーを説明するための図である。
【図１４】本発明の実施形態５に係るお薬カレンダーを説明するための図である。
【図１５】本発明の実施形態６に係るお薬カレンダーの保管用支持具を説明するための図である。
【図１６】本実施形態６に係るお薬カレンダーの保管用支持具を説明するための図である。である。
【図１７】本発明の実施形態７に係るお薬カレンダーの保管用支持具を説明するための図である。
【図１８】本実施形態７に係るお薬カレンダーの保管用支持具を説明するための図である。
【図１９】本実施形態７に係るお薬カレンダーの保管用支持具を説明するための図である。
【発明を実施するための形態】
【００３６】
〔第１の実施形態〕
以下、本発明の実施の形態を図面を用いて説明する。図１は本発明の実施形態１に係るお薬カレンダー及びその作製用支持具を説明するための斜視図、図２はカレンダー本体の斜視図、図３（ａ）はカレンダー本体の平面図、図３（ｂ）はその正面図、図３（ｃ）はその側面図、図４は本実施形態１における蓋シールシートを示す斜視図、図５（ａ）は蓋シールシート２がカレンダー本体１に貼り付けられた状態における蓋シールシート２の一部を表面側から見たときの図、図５（ｂ）は蓋シールシート２がカレンダー本体１に貼り付けられた状態におけるカレンダー本体１の一部を裏面側（各収容部の凹部の底部側）から見たときの図、図６（ａ）は他の収容部から分離した後の１つの収容部を表側（蓋シール側）から示す斜視図、図６（ｂ）はその収容部を裏側（凹部の底部側）から示す斜視図である。
【００３７】
図１において、１はカレンダー本体（トレイ）、２は前記カレンダー本体１の患者から見たときの表側（患者側）に貼り付けられる蓋シールシート、３は前記カレンダー本体１の各収容部内に一回服用分の薬剤をそれぞれ収容させる手撒き作業時などにおいて前記カレンダー本体１を載置し支持するために使用される支持プレートである。
【００３８】
まず、本実施形態１におけるカレンダー本体１の構成を、図１（ｂ）、図２、図３、図５及び図６などを参照して説明する。カレンダー本体１は、図３などに示すように、患者の一回服用分の薬剤をそれぞれ収容する複数の各収容部１１が、図示の例では縦方向に７行（月曜日から日曜日までの計７日分）及び横方向に４列（朝、昼、夕、及び就寝前の計４個の服薬時間帯）の格子状に並ぶように、接続部１２を介して、連続的に形成されている。なお、前記接続部１２は、前記各収容部１１が他の複数の収容部１１と（後述する分離用切れ目１２ａにより）分離された後は、前記各収容部１１の開口部１４（の縁部１４ａ）と連続する外周部１５（蓋シール２１が粘着・固定される鍔状の部分）となる部分である。
【００３９】
前記各収容部１１は、図３などに示すように、各一回服用分の薬剤が収容される凹部１３、各一回服用分の薬剤を前記凹部１３と外部との間で出し入れ可能とする開口部１４、及び前記開口部１４の縁部１４ａ（図５参照）と連続する鍔状の外周部１５（各収容部１１が他の複数の収容部１１と分離される前は、各収容部１１を互いに繋ぐ接続部１２となっている部分）とから構成されている。また、前記凹部１３は、底部１３ａ及び側部１３ｂより構成されている。また、前記凹部１３及び開口部１４は、図１（ｂ）、図２及び図３などに示すように、その平面が略五角形となるように形成されている。
【００４０】
また、前記接続部１２の中央部分には、前記各収容部１１を互いに分離するためのミシン目などの分離用切れ目１２ａが形成されている。前記分離用切れ目１２ａは、図２及び図３（ｂ）などに示すように、カレンダー本体１の全体に格子状に形成されている。
【００４１】
次に、本実施形態１における蓋シールシート２の構成を、図１（ａ）、図４、図５及び図６などを参照して説明する。前記蓋シールシート２は、前記各収容部１１の開口部１４を塞ぐための各蓋シール２１が、ミシン目などの分離用切れ目２２を介して連続的に形成されて成る１枚のシートである。前記各蓋シール２１は、前記各収容部１１とそれぞれ対向するように、すなわち図示の例では縦方向に７行（月曜日から日曜日までの計７日分）及び横方向に４列（朝、昼、夕、及び就寝前の計４個の服薬時間帯）の格子状に配置されるように、形成されている。図４及び図５（ａ）などに示すように、前記各蓋シール２１の表面には、対応する患者の服薬管理に資するように、各服薬の日時及び時間帯、患者のＩＤなどを示す記号（例えばバーコード）などが印刷されている。
【００４２】
また、前記蓋シールシート２は、（ｉ）各服薬の日時及び時間帯などが印刷された紙製シート、（ｉｉ）全体が一方向すなわち図４では前記各収容部１１の開口部１４（平面が横長の略五角形状の開口部１４）の略中央部分を縦断するような縦方向に切れ易くそれ以外の方向には切れ難いように繊維が練り込まれた樹脂シート、及び（ｉｉｉ）前記接続部１２（前記各収容部１１が前記切れ目１２ａにより前記カレンダー本体１から分離された後は、当該各収容部１１の開口部１４の縁部１４ａと連続する鍔状の外周部１５となる部分）と対向する部分が粘着部（粘着剤が付着されている部分）となるように形成された粘着シートが、上記の順に積層されて構成されている。
【００４３】
前述のように、前記蓋シールシート２において、前記各蓋シール２１の裏面側（カレンダー本体１に対向又は当接する側）の、前記各収容部１１の外周部１５と対向する部分は、粘着剤が付着された粘着部となっている。よって、前記各収容部１１内に一回服用分の薬剤が収容された後に、前記カレンダー本体１に前記蓋シールシート２が貼り付けられると、前記各蓋シール２１中の前記粘着部が前記各収容部１１中の前記外周部１５に粘着・固定され、その結果、前記各収容部１１の開口部１４が前記蓋シール２１により封止される。なお、この場合でも、前記蓋シール２１中の裏面側の前記開口部１４と対向する部分には粘着剤は付着されていないので、前記収容部１１内の薬剤が蓋シール２１の粘着部に粘着してしまう恐れはない。
【００４４】
また、本実施形態１では、図５に示すように、前記蓋シールシート２の各蓋シール２１中の一つの隅（図５（ａ）では図示左下の隅）の略三角形状の端部（図５（ａ）及び（ｂ）において斜線で示す部分２１ａ）の裏面（前記カレンダー本体１と対向する側の面）は、粘着剤が付着されていない部分となっている。このように粘着剤が付着されていない前記略三角形状の端部２１ａは、患者が前記蓋シール２１を前記収容部１１から引き剥がすときの掴み部２１ａ（取っ掛かり）となる部分である。
【００４５】
また本実施形態１では、図１〜６などに関して前述したように、前記各収容部１１は、平面略５角形状に形成されている。このように、前記各収容部１１の平面を略５角形状に形成したのは、前記各収容部１１の外周部１５中の一部（図５（ｂ）などにおいて前記収容部１１の開口部１４の縁部１４ａ中の開口部１４の長手方向（同図において横方向）に対して斜めに形成されている部分１４ｂの外側領域）を他の部分よりも幅広に形成するようにして、前記外周部１５中に、前記の粘着剤が付着されていない掴み部２１ａを形成するためのスペース（図６（ｂ）の幅広部１５ａ参照）を十分に確保できるようにするためである。
【００４６】
また、本実施形態１では、図５（ａ）及び図６（ａ）に示すように、前記蓋シールシート２の各蓋シール２１中の前記三角形状の掴み部２１ａの各蓋シール２１における中央側の近傍の位置（前記開口部１４の長手方向の図示左側端部から前記開口部１４の長手方向全体の４分の１から４分の３までの間の任意の距離だけ離れた位置）に、前記各蓋シール２１の図示下端部から前記開口部１４に向かうように図示上方向に延びる（但し前記開口部１４までは到達しないように延びる）切れ目２３が、形成されている。
【００４７】
また、本実施形態１では、前記カレンダー本体１の裏面側の全体に、シボ加工が施されている。このシボ加工は、後述のように、前記各収容部１１内の薬剤の画像を鮮明に取得し、当該画像を利用した調剤監査支援（画像監査）をより適正に行うためのものである。なお、前記シボ加工は、本実施形態１では前述のようにカレンダー本体１の裏面側の全体に渡って行われているが、本発明においては、カレンダー本体１の裏面又は表面の全体に渡って行う必要はなく、カレンダー本体１の裏面又は表面中の前記凹部１３の側部１３ｂだけ行う（前記凹部１３の底部１３ａ、及び前記外周部１５などには行わない）ようにしてもよい。
【００４８】
次に、本実施形態１の動作を説明する。図７は患者が本実施形態１に係るお薬カレンダーから各服薬の時間帯毎に各収容部１１を一つずつ分離して使用している途中の状態を示す図で、（ａ）はその表側（蓋シール２１側）から見た斜視図、（ｂ）はその裏側（各収容部１１の凹部１３の底部１３ａ側）から見た斜視図である。この図７に示すように、本実施形態１では、前記各蓋シール２１の表面に各服薬の日時及び時間帯が印刷されているので、患者は、前記印刷された内容を見て、各回の服薬の時間帯に対応する収容部１１だけを、前記カレンダー本体１に形成された切れ目１２ａ（図３（ｂ）、図７（ｂ）など参照）を利用して、前記カレンダー本体１から分離する。なお、このとき、前記蓋シールシート２にも、前記切れ目１２ａと対向する位置に切れ目２２（図４、図５（ａ）、図７（ａ）など参照）が形成されているので、或る一つの収容部１１を前記カレンダー本体１から分離するとき、同時に、当該収容部１１の開口部１４をシールしている蓋シール２１も前記蓋シールシート２から容易に分離される。
【００４９】
次に、患者が、前記カレンダー本体１（及び蓋シールシート２）から１つの収容部１１（及び蓋シール２１）を分離し、その中に収容された一回服用分の薬剤を取り出すときの動作を、図８，９を参照して説明する。患者は、まず、前記蓋シール２１中の粘着剤が付着されていない掴み部２１ａ（前記外周部１５中の一隅部に在る幅広部１５ａと対向する部分）を指で掴み、上方に引き上げる（図８（ａ）参照）。すると、前記蓋シール２１中において、前記掴み部２１ａの近傍（図示右側）の端部に形成された切れ目２３から図示上方向に亀裂２４が発生する（図８（ｂ）参照）。さらに患者が前記掴み部２１ａを上方に引き上げると、前記亀裂２４が更に進行して（図９（ａ）参照）、前記収容部１１の開口部１４の図示左半分（又は前記開口部１４の図示左側端部から同開口部１４の長手方向全体の約３分の１から約３分の２くらいの範囲内の部分）が、蓋シール２１が剥がされた状態となる（図９（ｂ）参照）。
【００５０】
図９（ｂ）に示すように、前記収容部１１の開口部１４の一部について蓋シール２１が剥がされた状態になったら、患者は、前記収容部１１（凹部１３）内から薬剤を取り出して服用する。患者が前記収容部１１（凹部１３）内から薬剤を取り出すとき、図９（ｂ）に示すように、前記開口部１４の一部（例えば図示の右半分以上の部分）には蓋シール２１の一部が覆ったままの状態であるため、これにより、前記収容部１１（凹部１３）内の薬剤が誤って前記開口部１４から零れ落ちてしまうことが防止される。
【００５１】
次に、本実施形態１のお薬カレンダーを使用した薬剤の手撒き作業、及び調剤監査（画像による調剤監査の支援を含む）などについて、説明する。本実施形態１では、前記カレンダー本体１が薄く柔らかいシートにより形成されているため、このカレンダー本体１を支持するための硬い支持プレート３（図１（ｃ）参照）を予め用意している。前記支持プレート３は、前記カレンダー本体１と略同一又は類似の形状に形成されている。
【００５２】
薬剤師は、前記カレンダー本体１の各収容部１１内に患者の各一回服用分に係る薬剤をそれぞれ収容させる手撒き作業等を行うに当たっては、まず前記カレンダー本体１をこの支持プレート３の上に載せて支持し、その上で、前記手撒き作業等を行う。
【００５３】
前記手撒き作業等の調剤作業が終わったら、他の薬剤師が調剤監査を行うが、その際、調剤監査を支援するための画像監査を行う。この画像監査は、前記カレンダー本体１の各収容部１１内に収容された薬剤の画像をカメラ又はスキャナ等で取得し、この画像に基づいて各収容部１１内の薬剤の形状、色、銘柄及び個数などの情報を取得し、それらの各情報が患者が持参した処方箋の情報と適合しているかどうかを画像認識及び判定プログラムにより判定するものである。図１０は、このような画像監査の一例を示す図で、図１０（ａ）は前記各収容部１１内の薬剤の画像を取得する前の前記カレンダー本体１とパソコン３３の画面、図１０（ｂ）は前記各収容部１１内の薬剤の画像を取得したときの前記カレンダー本体１とパソコン３３の画面を示す図である。
【００５４】
本実施形態１では、前記カレンダー本体１及び前記支持プレート３の双方ともが透明素材により形成されている。そのため、本実施形態１によれば、前記カレンダー本体１を前記支持プレート３の上に載置したまま、前記支持プレート３の下方に配置されたスキャナにより、前記カレンダー本体１の各収容部１１内の薬剤の画像を取得することができる。
【００５５】
さらに本実施形態１では、前記支持プレート３の全体、及び前記カレンダー本体１中の少なくとも各収容部１１中の凹部の側部１３ｂ（図３（ａ）及び（ｃ）など参照）がシボ加工されている。このシボ加工により、前記下方に配置されたスキャナからの照射光が前記支持プレート３及び前記各収容部１１中の凹部１３の側部１３ｂに当たって前記各収容部１１の凹部１３内の薬剤の方向に反射することがなくなるので前記各収容部１１の凹部１３内の薬剤の鮮明な画像を取得することができ、そのような鮮明な画像に基づいて適正な画像監査（調剤監査の支援のための画像監査）を行うことができる。
【００５６】
前記画像監査を含む調剤監査が行われたら、薬剤師は、前記支持プレート３に支持されている前記カレンダー本体１の上に、前記蓋シールシート２を載せて、前記蓋シールシート２中の粘着部（粘着剤が付着された部分）を、前記カレンダー本体１中の各収容部１１の開口部の周囲の外周部１５に粘着、固定させる。これにより前記各収容部１１の開口部１４がシールされる。
【００５７】
なお図１において、３１は前記支持プレート３の上方に形成された位置決めピン３２を挿入する挿入穴である。前記位置決めピン３２は、前記支持プレート３の上に配置されるカレンダー本体１の上方の挿入穴１７にも挿通され、さらに、前記カレンダー本体１の上に貼り付けられる蓋シールシート２の上方の挿入穴２７にも挿通される。
【００５８】
以上のように、本実施形態１においては、前記蓋シールシート２中の各蓋シール２１の下端部に、粘着剤が存在しない掴み部２１ａと、この掴み部２１ａの近傍の開封用切れ目２３（前記収容部１１の開口部１４に向かって延びるが前記開口部１４までは到達しない切れ目２３。図６（ａ）など参照）を形成するようにしたので、患者が前記蓋シール２１を前記収容部１１の外周部１５から引き剥がす動作を容易に行えるようになると共に、前記開封用切れ目２３に沿って蓋シール２１の中間部分を切断したとき、前記収容部１１の開口部１４の一部（例えば開口部１４中の３分の２又は２分の１の領域）が前記蓋シール２１の一部に覆われたままの状態となるため、前記蓋シール２１を引き剥がす過程で前記収容部１１から薬剤が飛び出してこぼれ落ちてしまうなどの不都合を、有効に防止することができる。
【００５９】
また、本実施形態１では、前記蓋シール２１を、前記開封用切れ目２３が延びる方向と略平行な方向に切れ易くそれ以外の方向には切れ難い樹脂シートを含む（そのような性質の樹脂シートを各服薬の時間帯などを印刷した紙シート及び粘着層を有する紙シートの間に積層する）ようにしたので、患者は、前記開封用切れ目２３の方向に沿って蓋シール２１の中間部分を切断する動作をより安定的に行えるようになる。
【００６０】
また、本実施形態１においては、前記各収容部１１の凹部１３の少なくとも側部１３ｂにシボ加工を施すようにしたので、前記カレンダー本体１の各収容部１１への薬剤の手撒き作業等の調剤作業後に、調剤監査の補助としての画像監査を行う際に、例えばスキャナ又はカメラ等により、前記各収容部１１内に収容された各一回服用分の薬剤の映像を下方から光を照射して取得するとき、前記各収容部１１内の薬剤の方向に光が反射することが前記シボ加工により抑えられるようになるので、前記各薬剤についてより鮮明な映像を取得することができ、それを基により適正な画像監査を行うことができるようになる。
【００６１】
また、本実施形態１において、前記各収容部１１の開口部１４の縁部１４ａ（図５（ｂ）など参照）の平面形状を、前記外周部１５中の一部が他の部分よりも幅広となるような略５角形状に形成したので、前記外周部１５中に、蓋シール２１を剥がすときの掴み部２１ａ（剥がすときの取っ掛かりとなる端部）を形成するために必要な粘着剤が存在しない領域を、十分に確保できるようになる。
【００６２】
また、本実施形態１では、前記カレンダー本体１を薄く柔らかい素材により形成し、前記カレンダー本体１中の各収容部１１内に各一回服用分の薬剤を収容する手撒き作業時などに、前記カレンダー本体１をこれと略同一又は類似形状の硬い支持プレート３上に配置して使用するようにしたときは、前記柔らかいカレンダー本体１が前記硬い支持プレート３により下方から支持されるので、手撒き作業等を効率的に行うことができる。
【００６３】
また、本実施形態１では、前記カレンダー本体１と前記支持プレート３とを透明素材により形成したので、前記カレンダー本体１を前記支持プレート３で支持した状態のまま、調剤監査の補助としての画像監査を行うために前記各収容部１１内の薬剤の映像を取得する際に、前記支持プレート３の下方からスキャン等することにより、前記各収容部１１内の薬剤の映像を取得できるようになる。
【００６４】
また、本実施形態１では、前記カレンダー本体１と前記支持プレート３を透明素材により形成するだけでなく、前記支持プレート３全体と前記カレンダー本体１中の少なくとも各収容部１１の凹部１３の側部１３ｂとにシボ加工を施すようにしたので、前記カレンダー本体１を前記支持プレート３で支持した状態のまま、調剤監査の補助としての画像監査を行うために前記支持プレート３の下方に設置したスキャナ等により前記各収容部１１内の薬剤の映像を取得するとき、前記スキャナ等からの照射光が前記各収容部１１内の薬剤の方向に反射することが前記シボ加工により防止されるので、前記各収容部１１内の薬剤の鮮明な画像を取得することができ、そのようにして取得した鮮明な画像に基づいて適正な画像監査を行うことができるようになる。
【００６５】
また、本実施形態１では、図示していないが、前記各収容部１１内に、各一回服用分の複数種類の薬剤と共に袋等の収容体に入れられた食用のゼリー（図示省略）を一緒に収納するようにしている。よって、本実施形態１においては、患者は、各一回服用分の複数種類の薬剤を前記ゼリーと一緒に飲み込むことができるので、各一回服用分の複数種類の薬剤を容易に飲むことができるようになる。
【００６６】
〔第２の実施形態〕
次に本発明の実施形態２に係るお薬カレンダーを図１１を参照して説明する。本実施形態２は前記実施形態１と基本的構成は同一であるので、以下では異なる部分についてのみ説明する。本実施形態２においては、カレンダー本体４１の各収容部１１中の外周部１５の図示左下隅の端部（前記各収容部１１の各開口部１４の近傍部分であって前記各開口部１４と所定距離だけ離れた部分）に、それぞれ、切り欠き４２（図１１の例では略三角形状の切り欠き）が形成されている。
【００６７】
したがって、本実施形態２では、前記蓋シール２１中の前記切り欠き４２と対向する部分は、前記各収容部１１の外周部１５に粘着されていない部分となる。よって、本実施形態２によれば、患者は、前記蓋シール２１中の前記切り欠き４２と対向する部分、すなわち前記蓋シール２１中の前記各収容部１１の外周部１５に粘着されていない部分を、前記蓋シール２１を前記各収容部１１から引き剥がすときの掴み部（引き剥がすときの取っ掛かり）とすることができるので、患者が前記蓋シール２１を前記収容部１１から引き剥がす作業を容易化できるようになる。なお、これ以外の本実施形態２による効果は、前記実施形態１の効果と同様である。
【００６８】
〔第３の実施形態〕
次に本発明の実施形態３に係るお薬カレンダーを図１２を参照して説明する。本実施形態３は前記実施形態１と基本的構成は同一であるので、以下では異なる部分についてのみ説明する。本実施形態３においては、蓋シールシート５１中の各蓋シール２１中の図示左下隅の端部に、それぞれ、切り欠き５２（図１２の例では略三角形状の切り欠き）が形成されている。前記切り欠き５２は、前記蓋シール２１による各収容部１１の開口部１４（図３など参照）のシールを阻害しないように、前記蓋シール２１中の前記各収容部１１の外周部１５に対向する部分であるが前記各収容部１１の開口部１４には対向しない部分に、形成されている。
【００６９】
このように、本実施形態３では、前記各収容部１１の外周部１５中の前記切り欠き５２と対向する部分は、前記蓋シール２１が粘着されていない部分となる。よって、本実施形態３によれば、患者は、前記各収容部１１の外周部１５中の前記切り欠き５２と対向する部分、すなわち前記各収容部１１の外周部１５中の前記蓋シール２１が粘着されていない部分を、患者が前記蓋シール２１を前記各収容部１１から引き剥がすときの取っ掛かりとなる部分とすることができるので、患者が前記蓋シール２１を前記収容部１１から引き剥がす作業を容易化できるようになる。なお、これ以外の本実施形態３による効果は、前記実施形態１の効果と同様である。
【００７０】
〔第４の実施形態〕
次に本発明の実施形態４に係るお薬カレンダーを図１３を参照して説明する。本実施形態４は前記実施形態１と基本的構成は同一であるので、以下では異なる部分についてのみ説明する。本実施形態４においては、蓋シールシート６１中の各蓋シール２１中の図示左下隅の端部に、それぞれ、裏側に粘着剤が付着されていない部分６２（図１３の例では略三角形状の部分）が形成されている。前記の裏側に粘着剤が付着されていない部分６２は、前記蓋シール２１による前記各収容部１１の開口部１４のシールを阻害しないように、前記蓋シール２１中の前記各収容部１１の外周部１５に対向する部分であるが前記開口部１４には対向しない部分に、形成されている。
【００７１】
このように、本実施形態４では、前記蓋シールシート６１から分離される前記各蓋シール２１中の前記の裏側に粘着剤が付着されていない部分６２は、前記各収容部１１の外周部１５と粘着、固定されていない部分（自由端）となる。よって、本実施形態４によれば、患者は、前記蓋シール２１中の前記各収容部１１の外周部１５と粘着、固定していない部分（自由端）を、患者が前記蓋シール２１を前記各収容部１１から引き剥がすときの掴み部（引き剥がすときの取っ掛かり）とすることができるので、患者が前記蓋シール２１を前記収容部１１から引き剥がす作業を容易化できるようになる。なおこれ以外の本実施形態４による効果は、前記実施形態１の効果と同様である。
【００７２】
〔第５の実施形態〕
次に本発明の実施形態５に係るお薬カレンダーを図１４を参照して説明する。本実施形態５は前記実施形態１と基本的構成は同一であるので、以下では異なる部分についてのみ説明する。本実施形態５においては、カレンダー本体７１の開口部側（蓋シールシート２（図１など参照）に対向する側）と反対側の面（各収容部１１の裏面）に、薬剤貼付用シート７２が粘着、固定されている。前記薬剤貼付用シート７２には、前記各収容部１１に対向する各部分毎に、他の部分と別個に剥がすことができるシール（図示省略。このシールを剥がすと前記薬剤貼付用シート７２に形成されている粘着部が露出される）が備えられている。また前記薬剤貼付用シート７２には、前記各収容部１１相互間の分離用切れ目１２ａ（図３（ｂ）など参照）と対向する位置に、同様の分離用切れ目（図示省略）が形成されている。
【００７３】
本実施形態５では、薬剤師は、前記各部分のシールを剥がして粘着部（粘着剤が付着された部分）を露出させて、当該粘着部に、前記各収容部１１内に入れられない薬剤（例えば比較的大きな袋に収納された散薬）の収容体７３を、各収容部１１毎にそれぞれ粘着、貼付させることができる。よって、本実施形態５によれば、前記カレンダー本体７１の前記各収容部１１の裏面側に、前記各収容部１１内に入れられない比較的大きな収容体７３（散薬などを収容した収容体７３）を、前記各収容部１１毎に貼り付けることができるので、患者の各一回服用分の薬剤に含まれているにもかかわらず前記お薬カレンダー中の各収容部１１内に収容できない薬剤の取り扱いを、より容易にすることができる。なお、これ以外の本実施形態５による効果は、前記実施形態１の効果と同様である。
【００７４】
〔第６の実施形態〕
次に本発明の実施形態６に係るお薬カレンダーの保管用支持具を図１５，１６を参照して説明する。本実施形態６において、特にお薬カレンダーについては前記実施形態１と基本的構成は同一であるので、以下では異なる部分についてのみ説明する。本実施形態６によるお薬カレンダーは、図１５に示すように、複数の収容部が縦方向及び横方向に格子状に配置されたカレンダー本体（お薬シート）８１とその表側（患者側）に配置される各服薬毎の日時等を記載した服薬日時シート８４（図１の蓋シールシート２と印刷内容は同じであるが粘着部すなわちシール部を有していないシート）とが、図示上方の透明板（アクリル板）８２と図示下方の枠体（枠組み）８３との間に挟み込まれた状態で使用される。
【００７５】
前記透明板８２と前記枠体（枠組み）８３とは、例えば磁石（薄いマグネットシート）などにより互いに固定される。前記枠体（枠組み）８３には、壁掛け用金具８３ａが備えられている。前記枠体（枠組み）８３は、図１６に示すように、矩形状の枠の内部は空洞に形成されている。
【００７６】
次に本実施形態６の使用方法を説明する。調剤薬局は、最初の調剤のときは、患者側に対し、前記の透明板８２と枠体８３とカレンダー本体８１と服薬日時シート８４との全てを渡すが、透明板８２と枠体８３は消耗品ではないので、次回の２回目以降の調剤からは、調剤薬局は、患者側に対し、カレンダー本体８１と服薬日時シート８４のみを渡す。
【００７７】
患者側は、２回目以降の調剤からは、調剤薬局から渡されたカレンダー本体８１と服薬日時シート８４を、自分で透明板８２と枠体８３の間に図１５に示すように挟み込んで、透明板８２と枠体８３を磁石等で固定する。各服薬時になると、患者は、該当する日時の収容部をその凹部の底部側から（すなわち前記枠体８３の空洞部側から）カッターなどの所定の用具で裂くなどして開いて、内部の一回服用分の薬剤を取り出して服用する。
【００７８】
以上ように、本実施形態６によれば、調剤薬局側は、２回目以降の調剤のときは、カレンダー本体８１と粘着部（シール部）のない服薬日時シート８４のみを患者側に渡せばよいので、お薬カレンダーを低コストで患者側に提供することができる。なお、これ以外の本実施形態６による効果は、前記実施形態１の効果と同様である。
【００７９】
〔第７の実施形態〕
次に本発明の実施形態７に係るお薬カレンダーの保管用支持具を図１７〜１９を参照して説明する。本実施形態７は前記実施形態１及び実施形態６などと基本的構成は同一であるので、以下では異なる部分についてのみ説明する。本実施形態７によるお薬カレンダーは、図１７に示すように、複数の収容部が縦方向及び横方向に格子状に配置されたカレンダー本体（お薬シート）８１とその表側（患者側）に配置される各服薬毎の日時等を記載した服薬日時シート８４（図１の蓋シールシート２と印刷内容は同じであるが粘着部すなわちシール部を有していないシート）とが、図示上方の透明板（アクリル板）８２と図示下方の枠体（枠組み）９３との間に挟まれた状態で使用される。
【００８０】
本実施形態７では、前記枠体（枠組み）９３は、図１７〜１９に示すように、外周枠の内部に図示横方向の棒状体（格子）が複数個、図示の例では６個配置され、この６個の横方向の棒状体（格子）により、前記枠体（枠組み）９３の外周枠の内部に計７個（１週間分）の長方形状の空洞部が、図示縦方向に並ぶように形成されている。その結果、本実施形態７では、前記カレンダー本体１を前記枠体（枠組み）９３の中に配置すると、前記カレンダー本体１中の各収容部（上下方向に計７行）の各横一列分が、前記枠体（枠組み）９３の外周枠内の計７個の長方形状の空洞部の中にそれぞれ入り込み、前記カレンダー本体１が前記枠体（枠組み）９３中において安定的に配置・支持されるようになる。このような枠体（枠組み）９３を使用する点を除くと、本実施形態７の構成及び作用効果は前記実施形態６と同様である。
【００８１】
以上、本発明の各実施形態について説明したが、本発明は前記の各実施形態として述べたものに限定されるものではなく、様々な修正及び変更が可能である。例えば、前記各実施形態１〜５においては、前記各収容部１１の開口部１４を塞ぐために、前記各収容部１１の外周部１５にそれぞれ粘着又は固定される複数の蓋シール２１が他の蓋シール２１と互いに（分離用切れ目２２を介して）連続するように形成された蓋シールシート２を前記カレンダー本体１の全体に貼り付けるようしたが、本発明では、前記蓋シールシート２を使用しないで、前記カレンダー本体１中の各収容部１１の外周部１５に対して個々の蓋シールをそれぞれ直接に粘着、固定させるようにしてもよい。また、前記各実施形態１〜７において、各服薬日時等を印刷したシート（前記実施形態１〜５の蓋シールシート２、前記実施形態６，７の服薬日時シート８４など）は、不透明のシートであることを想定して説明したが、例えばパラフィン紙などの透明又は半透明のシートに各服薬日時等を印刷したものであってもよい。このような各服薬日時等を印刷した透明又は半透明のシートを使用する場合は、患者が前記各服薬日時等を印刷した透明又は半透明のシートを通して前記各収容部１１内の薬剤を視認することなどができるなどの利点が得られるようになる。
【符号の説明】
【００８２】
１，４１，７１，８１     カレンダー本体
２，５１，６１     蓋シールシート
３    支持プレート
１１  収容部
１２  接続部
１２ａ 分離用切れ目
１３  凹部
１３ａ 凹部の底部
１３ｂ 凹部の側部
１４  開口部
１４ａ 開口部の縁部
１４ｂ 開口部の縁部中の斜めに形成されている部分
１５  外周部
１５ａ 幅広部
１７，２７，３１   挿入穴
２１  蓋シール
２１ａ 掴み部（略三角形状の端部）
２２  分離用切れ目
２３  開封用切れ目
２４  亀裂
３２  ピン
３３  パソコン
６２  蓋シールシート中の粘着部が存在していない部分
７２  薬剤貼付用シート
８２  透明板
８３，９３   枠体（枠組み）
８３ａ，９３ａ     取付金具
８４  服薬日時シート
９３ｂ 棒状体
【図１】
2019000593.tif 000003
【図２】
2019000593.tif 000004
【図３】
2019000593.tif 000005
【図４】
2019000593.tif 000006
【図５】
2019000593.tif 000007
【図６】
2019000593.tif 000008
【図７】
2019000593.tif 000009
【図８】
2019000593.tif 000010
【図９】
2019000593.tif 000011
【図１０】
2019000593.tif 000012
【図１１】
2019000593.tif 000013
【図１２】
2019000593.tif 000014
【図１３】
2019000593.tif 000015
【図１４】
2019000593.tif 000016
【図１５】
2019000593.tif 000017
【図１６】
2019000593.tif 000018
【図１７】
2019000593.tif 000019
【図１８】
2019000593.tif 000020
【図１９】
2019000593.tif 000021